(57)【特許請求の範囲】
【請求項１】
イオン発生器又は酸素富化器を支持すると共に該イオン発生器又は酸素富化器を送風機により送風される空気の送風路内に取り付けるための装置取付手段を有する空気調和機であって，
上記送風路を構成する送風路壁に，上記イオン発生器又は上記酸素富化器を組み込むための開口が形成されてなり，
上記装置取付手段が，上記送風路壁の上記送風路側の第１の壁面と当接する第１の当接部が形成されると共に上記開口に挿入された場合に表面が上記第１の壁面と略面一になるカバーと，上記送風路壁の上記送風路とは反対側の第２の壁面と当接する第２の当接部が形成されると共に上記イオン発生器又は上記酸素富化器の上記第２の壁面から突出する部分を収容するホルダーとを有してなり，上記送風路への突出を軽減して送風能力の低下を抑制するべく，上記イオン発生器又は上記酸素富化器のイオン又は酸素の放出面が上記第１の壁面と略面一であって該イオン発生器又は該酸素富化器が上記第２の壁面から突出するように上記送風路壁の開口の両側から上記カバー及び上記ホルダーで上記イオン発生器又は上記酸素富化器を覆うと共に上記第１の当接部及び上記第２の当接部で上記送風路壁を挟持することにより上記送風路壁に固定される構造を有してなり，
上記カバーに，上記第１の当接部側から上記第２の当接部側に向けて突出するボスが形成され，上記ボスに，上記第２の当接部側が開放されたネジ孔が形成されると共に，上記ホルダーに，上記ボスのネジ孔に位置対応する貫通孔が形成されてなり，
上記ホルダー側から該ホルダーの貫通孔を貫通して上記カバーのネジ孔にネジが螺着されることにより上記カバー及び上記ホルダーが接合されることを特徴とする空気調和機。
【請求項２】
上記装置取付手段が，上記ネジの螺着によって上記第１の当接部及び上記第２の当接部を上記第１の壁面及び上記第２の壁面に圧接させることにより当該装置取付手段が上記送風路壁に固定されてなる請求項１に記載の空気調和機。
【請求項３】
上記装置取付手段が，上記カバー及び上記ホルダーが接合されることにより上記第１の当接部及び上記第２の当接部で形成される溝部を備えてなり，
上記送風路壁の端部に形成された切り欠きに上記溝部がスライド挿入されることにより当該装置取付手段が上記送風路壁に固定されてなる請求項１に記載の空気調和機。
【発明の詳細な説明】
【技術分野】
【０００１】
本発明は，送風機により送風される空気の特性向上に寄与する装置（例えばイオン発生器など）を支持すると共に該装置を上記空気の流路に面して取り付ける装置取付手段を有する空気調和機に関し，特に，発泡スチロールなどの軟質素材で形成された壁面への上記装置の取り付けを堅硬にする取付構造に関するものである。
【背景技術】
【０００２】
従来から，吸入された室内の空気を熱交換器や加熱器などにより熱交換し，そして熱交換された空気を室内に送り出すことにより室内温度を調節する空気調和機が知られている。近年，この空気調和機には，室内温度を調節する機能に加え種々の機能が搭載されるようになってきており，その機能の一つに，空気調和機にイオン発生器を取り付けることにより，室内へ送風される空気の特性を向上させる機能がある。
上記イオン発生器は，空気調和機が具備する送風機から送風される空気にイオンを混入させて室内に効率よくイオンを送り込むために，上記送風機から空気を室内に送り出す送風経路に取り付けられることが多い。
例えば，図７に示すイオン発生器７５，ドレンパン７３，熱交換器７１，送風機７４，前面パネル７６，風向調節板７７ａ，７７ｂ等を備えた空気調和機の室内機７０においては，図示するように，送風経路７９の内壁を構成するドレンパン７３に取付カバー７８と共に上記イオン発生器７５が取り付けられている（特許文献１参照）。
また，一体型の空気調和機（不図示）では，一般に送風機として図８に示すように，シロッコファン８２がケーシング８３内に収容された送風機８０が用いられるが，この場合は，図示するように，空気の送出口８９近傍のケーシング８３に取り付けられたＬアングルなどの取付座８４にイオン発生器８１を取り付ける構造が採用されている。
【特許文献１】特開２００４−５３０４０号公報
【発明の開示】
【発明が解決しようとする課題】
【０００３】
しかしながら，従来の上記イオン発生器の取り付けは，上記イオン発生器自体或いはその取付座をネジなどで上記送風経路の内壁やケーシングに固定する手法がとられているが，例えば，上記内壁やケーシングが発泡スチロールなどの軟質素材で形成されている場合は，上記内壁やケーシングにネジ山が形成されないため，上記イオン発生器を取り付けることは困難である。仮に，上記ネジ山が形成されたとしても，軟質素材で形成されたネジ山は脆いため，ネジの抜ける方向に対する十分な強度を確保することができず，上記イオン発生器を堅硬に取り付けることができないという問題がある。
また，一体型の空気調和機においては，イオン発生器の取付座が空気流を阻害し，空気流の乱れや空気の漏れなどが生じて送風能力を低下させるという問題がある。
そこで，本発明は上記事情に鑑みてなされたものであり，その目的とするところは，上記従来の技術における課題を解決するためにイオン発生器などの装置の取付構造を改良することにより，空気の送風経路への上記イオン発生器などの装置の取付を堅硬なものとし，また，取付座などによる送風能力の低下を抑制することができる空気調和機を提供することにある。
【課題を解決するための手段】
【０００４】
上記目的を達成するために本発明は，イオン発生器又は酸素富化器を支持すると共に該イオン発生器又は酸素富化器を送風機により送風される空気の送風路内に取り付けるための装置取付手段を有する空気調和機に適用されるものであって，上記送風路を構成する送風路壁に，上記イオン発生器又は上記酸素富化器を組み込むための開口が形成されている。そして，上記装置取付手段は，上記送風路壁の上記送風路側の第１の壁面と当接する第１の当接部が形成されると共に上記開口に挿入された場合に表面が上記第１の壁面と略面一になるカバーと，上記送風路壁の上記送風路とは反対側の第２の壁面と当接する第２の当接部が形成されると共に上記イオン発生器又は上記酸素富化器の上記第２の壁面から突出する部分を収容するホルダーとを有してなり，上記送風路への突出を軽減して送風能力の低下を抑制するべく，上記イオン発生器又は上記酸素富化器のイオン又は酸素の放出面が上記第１の壁面と略面一であって該イオン発生器又は該酸素富化器が上記第２の壁面から突出するように上記送風路壁の開口の両側から上記カバー及び上記ホルダーで上記イオン発生器又は上記酸素富化器を覆うと共に上記第１の当接部及び上記第２の当接部で上記送風路壁を挟持することにより上記送風路壁に固定される構造を有している。また，上記カバーに，上記第１の当接部側から上記第２の当接部側に向けて突出するボスが形成され，上記ボスに，上記第２の当接部側が開放されたネジ孔が形成されると共に，上記ホルダーに，上記ボスのネジ孔に位置対応する貫通孔が形成されてなり，上記ホルダー側から該ホルダーの貫通孔を貫通して上記カバーのネジ孔にネジが螺着されることにより上記カバー及び上記ホルダーが接合される。
ここで，上記イオン発生器は，空気中にプラズマイオンやマイナスイオンを放出するものであり，上記酸素富化器は，空気中に酸素を放出するなどして室内空気の酸素含有量を増加させるものである。
このように構成されることにより，ネジなどの締結部材を上記送風路壁に直に係合することなく上記装置を上記送風路壁に堅硬に固定することができる。また，このような構造の装置取付手段が採用されることにより，上記装置の取付位置が制限されなくなるため，例えば，イオンや酸素を効率よく安定的に室内に送風可能な位置に上記イオン発生器や酸素富化器などを取り付けることが可能となる。さらに，このような装置取付手段であれば，従来の如く送風路側へ大きく突出することがないため，該装置取付手段による空気流の阻害を抑制（防止）することができ，上記装置の取り付けを堅硬とするだけでなく，空気の送風能力の低下を抑えることができる。
【０００５】
ここで，上記装置取付手段の具体的構造としては，例えば，上記装置取付手段が，上記ネジの螺着によって上記第１の当接部及び上記第２の当接部を上記第１の壁面及び上記第２の壁面に圧接させることにより当該装置取付手段が上記送風路壁に固定されるものが考えられる。このような装置取付手段であれば，従来の如く送風路側へ大きく突出することがないため，該装置取付手段による空気流の阻害を抑制（防止）することができ，上記装置の取り付けを堅硬とするだけでなく，空気の送風能力の低下を抑えることができる。
また，上記装置取付手段が，上記カバー及び上記ホルダーが接合されることにより上記第１の当接部及び上記第２の当接部で形成される溝部を備えており，上記送風路壁の端部に形成された切り欠きに上記溝部がスライド挿入された際に，上記第１の当接部及び上記第２の当接部が上記第１の壁面及び上記第２の壁面に圧接されることにより当該装置取付手段が上記送風路壁に固定されるように構成されたものであってもよい。このような装置取付手段であっても，空気流の阻害の防止，及び取り付けの堅硬化を実現することができる。
【０００６】
本発明によれば，イオン発生器などの装置の取付手段が，空気の送風路を構成する送風路壁の上記送風路側の外壁面及び上記送風路とは反対側の内壁面それぞれから上記送風路壁を挟持することにより上記送風路壁に固定される構造を有しているため，ネジなどの締結部材を上記送風路壁に直に係合することなく上記装置を上記送風路壁に堅硬に固定することができる。また，従来の如く送風路側へ大きく突出することがないため，上記装置取付手段による空気流の阻害を抑制（防止）することができ，空気の送風能力の低下を抑えることができる。
【発明を実施するための最良の形態】
【０００７】
以下添付図面を参照しながら，本発明の実施の形態について説明し，本発明の理解に供する。なお，以下の実施の形態は，本発明を具体化した一例であって，本発明の技術的範囲を限定する性格のものではない。
まず，図１を用いて，本発明の実施の形態に係る空気調和機Ｘの概要について説明する。ここに，図１は上記空気調和機Ｘの概略構成図である。
上記空気調和機Ｘは，室内ユニット及び室外ユニットが一体に構成された，いわゆる一体型の空気調和機である。この空気調和機Ｘは，冷媒と室内空気との間で熱交換を行う室内用熱交換器１と，上記冷媒と室外空気との間で熱交換を行う室外用熱交換器２と，それぞれの熱交換器の下方に配置され，上記室内用熱交換器１及び上記室外用熱交換器２で凝縮された凝縮水を受けるベースパン３と，室内用モータ４１により室内用ファン４２（例えばシロッコファン）が回転駆動されることにより室内空気を吸引すると共に上記室内用熱交換器１により熱交換された空気を送風路４４を経て吹出口４５から室内に吹き出す室内送風機４と，図示しない吸気口から空間αに室外空気を吸気すると共に上記空間α内の空気を上記室外用熱交換器２に向けて送り出す室外用ファン６と，該室外用ファン６を駆動する室外用モータ７と，上記室外用ファン６による空気流を整流するドウフウバン９とを具備して概略構成されている。
【０００８】
また，上記室内送風機４は，上記室内用ファン４２を収容するケーシング４３で覆われており，該ケーシング４３の外側に装着された上記室内用モータ４１と上記室内用ファン４２とが上記ケーシング４３を介して軸連結されている。このケーシング４３は，上記室内用ファン４２を内部で回転可能に収容支持すると共に，上記室内用ファン４２が回転駆動されることにより送風される空気の流路である送風路４４と空気の吹出口４５を形成する。
上記吹出口４５の近傍の上記送風路４４の内壁には，上記室内送風機４により室内に送風される空気の特性向上に寄与する装置の一例であるイオン発生器５が取り付けられている。なお，一般に上記ケーシング４３は，熱交換された空気をケーシング４３の外側の環境から断熱させるため，上記送風路４４の内壁（すなわちケーシング４３の内壁）或いは上記ケーシング４３自体が発泡スチロールなどの軟質素材からなる断熱材で構成されている。そのため，本空気調和機Ｘにおいては，上記送風路４４に上記イオン発生器５を堅硬に取り付けるため，従来とは異なる特徴的な取付構造が採用されている。この取付構造については後述する。
【０００９】
このように構成された上記空気調和機Ｘでは，上記室内用ファン４２が回転駆動されると，室内の空気が吸入される。また，その室内空気は上記室内用熱交換器１を通ることで該室内用熱交換器１の内部を流動する冷媒との間で熱交換されて冷却若しくは加熱され，その後，上記送風路４４を通って上記吹出口４５から室内に吹き出される。なお，室内に吹き出される空気には，上記送風路４４に設けられた上記イオン発生器５から放出されたイオンが混入される。これにより，イオンを含む空気が室内に送り出される。
また，上記室内用ファン４２の駆動と略同時に上記室外用ファン６が回転駆動されることにより，室外空気が上記空間αに吸入される。上記空間αに吸入された室外空気は，上記室外用熱交換器２に向けて送出され，該室外用熱交換器２を通ることで該室外用熱交換器２の内部を流動する冷媒との間で熱交換されて加熱若しくは冷却（上記室内用熱交換器１とは逆）され，その後室外に吹き出される。
【００１０】
ここで，図２及び図３を用いて，上記送風路４４に設けられたイオン発生器５の取付手法（取付構造）の第１の実施例について説明する。ここに，図２はイオン発生器５の取付構造の一例を説明する分解図，図３は上記ケーシング４３にイオン発生器５が取り付けられた状態を示す取付断面図である。なお，この実施例では，シロッコファンで構成された室内用送風機４のケーシング４３に上記イオン発生器５を取り付ける例について説明する。
図２に示すように，上記室内送風機４の吹出口４５の近傍の外側面４６には上記イオン発生器５を上記ケーシング４３に組み込むための開口４７が形成されている。
まず，上記開口４７の内壁側から上記イオン発生器５のイオン放出面５ａをカバーするカバー５２を上記開口４７に挿入する。その後，上記イオン放出面５ａがこのカバー５２の内面に当接するように上記イオン発生器５を上記開口４７の外壁側より挿入する。これにより，上記カバー５２及び上記イオン発生器５が上記開口４７に挿入される。
なお，本実施形態では，上記開口４７に上記カバー５２が挿入された場合に，上記カバー５２の表面が上記ケーシング４３の内壁に対して略面一となるように上記カバー５２や上記開口４７が形成されている。そのため，上記送風路４４への上記カバー５２の突出を従来例よりも抑えることができる。この場合，上記カバー５２の内面に当接する上記イオン放出面５ａも上記ケーシング４３の内壁と略面一となるため，上記送風路４４へのイオンの送出が良好となる。
【００１１】
次に，上記開口４７に挿入された上記イオン発生器５に対して，上記外側面４６側から上記イオン発生器５を覆うようにホルダー５１を上記開口４７に挿入する。上記ホルダー５１が上記開口４７に挿入されると，ホルダー５１及びカバー５２に形成された図示しない係合片と係合溝とが係合して，上記ホルダー５１と上記カバー５２とが仮止めされる。これにより，後述するネジ止め作業を容易に行うことができる。ここに，上記外側面４６及び該外側面４６の反対側の内側面が第１の壁面及び第２の壁面に相当する。図３に上述の如く上記イオン発生器５を覆うように上記ホルダー５１及び上記カバー５２が上記開口４７に装着された状態の断面構造を示す。
【００１２】
ここで，上記ホルダー５１は，上記イオン発生器５の上記外側面４６から突出した部分を収容すると共に上記イオン発生器５を上記ケーシング４３に取り付けるためのものであり，また，上記カバー５２は，上記イオン放出面５ａを保護すると共に上記イオン発生器５を上記ケーシング４３に取り付けるためのものである。上記ホルダー５１及び上記カバー５２は軟質素材で構成された上記ケーシング４３とは異なり，硬化樹脂或いは金属などの比較的硬い素材で形成されたものである。なお，上記ホルダー５１及び上記カバー５２が装置取付手段の一例に相当する。
【００１３】
上記ホルダー５１と上記カバー５２は，双方の部材の間に上記開口４７の開口縁４７ａを介在させた状態で，ネジ８などの締結部材で互いに係合されることにより接合可能に構成されている。具体的には，図３に示すように，上記カバー５２には上記ネジ８が螺着されるネジ孔５２１ａを有するボス５２１が形成されており，また，上記ホルダー５１には，上記ネジ孔５２１ａに位置対応する箇所に上記ネジ８を貫通する貫通孔５１１が形成されている。更に，上記ホルダー５１及び上記カバー５２それぞれには，該ホルダー５１及びカバー５２が接合されることにより上記開口４７の開口縁４７ａに当接する当接部５１２及び５２２（第１の当接部，第２の当接部に相当）が形成されている。
かかる構造を有する上記ホルダー５１及び上記カバー５２が上記開口４７に仮止めされた状態で，上記ネジ８が上記ボス５２１にねじ込まれると，上記ネジ８がねじ込まれるにしたがって上記当接部５１２及び上記当接部５２２が上記開口４７の開口縁４７ａに強く当接（圧接）される。即ち，上記開口４７の開口縁４７ａが上記当接部５１２及び上記当接部５２２により強く挟持される。その結果，上記イオン発生器５を収容した状態で上記ホルダー５１及び上記カバー５２が上記ケーシング４３に固定される。ここに，上記開口４７の開口縁４７ａへの上記当接部５１２及び５２２の圧接を実現する上記ボス５２１やネジ８などが圧接手段の一例に相当する。
なお，本実施例では，ネジ８により上記当接部５１２，５２２を上記開口縁４７ａに圧接させて固定する圧接手段を例示したが，例えば，上記ホルダー５１や上記カバー５２に係止部を設けて，上記当接部５１２及び５２２が上記開口縁４７ａを強く挟持した状態で上記係止部により上記ホルダー５１と上記カバー５２とが互いに強固に係合する実施例も考えられる。
【００１４】
このように，上記開口４７の開口縁４７ａが，上記ホルダー５１によって上記ケーシング４３の外側面４６の側から，そして，上記カバー５２によって上記外側面４６の反対側の内壁の側から挟持されることにより，上記開口４７の開口縁４７ａと当接面５１２及び５２２とが面で接するため，上記イオン発生器５を上記ケーシング４３に堅硬に取り付けることができる。また，このような取付構造であれば，上記イオン発生器５の取付位置の制限がなくなるため，例えば，イオンを効率よく安定的に室内に送風可能な位置に上記イオン発生器５を取り付けることが可能となる。また，上記カバー５２を上記ケーシング４３の内壁に対して略面一とすることにより，上記送風路４４への突出が軽減されるため，従来比で送風能力を向上させることが可能となる。
なお，上述の実施例では，一体型の空気調和機に主として用いられるシロッコファンを備えて構成された室内送風機４を例にとって説明してきたが，もちろん，室外機と分離した室内機に主として用いられる横長のクロスフローファンを備えて構成された送風機にも本発明を適用することは可能である。
【００１５】
続いて，図４〜図６を用いて，上記送風路４４に設けられたイオン発生器５の取付手法（取付構造）の第２の実施例について説明する。ここに，図４はケーシング４３に形成された後述する切り欠き４８を示す模式図，図５は相互に接合された上記ホルダー５１及び上記カバー５２に上記イオン発生器５が収容されたイオン発生器ユニット６０を示す断面図，図６は上記切り欠き４８に上記イオン発生器ユニット６０がスライド挿入される状態を示す図である。
この第２の実施例では，上記第１の実施例の取付手法とは異なり，予め上記イオン発生器５を内部に収容した状態で上記ホルダー５１と上記カバー５２とがネジ８によって係合されて構成される図５に示すイオン発生器ユニット６０を組み立てておく。このように組み立てられたイオン発生器ユニット６０には，図５に示すように，上記ケーシング４３の壁面を挟持する当接面５１２及び５２２により，溝６１（溝部に相当）が形成される。
また，図４に示すように，上記ケーシング４３の上記吹出口４５の端部に，前記開口４７と略同サイズの切り欠き４８と，該切り欠き底部の縁に突起片４８ａとを形成しておく。
このような切り欠き４８に対して，上記イオン発生器ユニット６０の溝６１を上記切り欠き４８の縁４８ｂに嵌合させ，その後，図６に示すように，上記切り欠き４８の深さ方向（図中の矢印方向）へ上記イオン発生器ユニット６０がスライド挿入させることにより，該イオン発生器ユニット６０を上記ケーシング４３に取り付けることができる。このとき，上記イオン発生器ユニット６０が上記切り欠き４８の奥まで挿入されると，上記突起片４８ａが上記溝６１に入り込むため，上記イオン発生器ユニット６０が確実に固定される。これにより，上記イオン発生器ユニット６０の抜けを防止することができる。
なお，上記突起片４８ａに代えて，上記イオン発生器ユニット６０が上記切り欠き４８にスライド挿入された後に，切り欠き４８の外側から上記イオン発生ユニット６０を別部材からなる固定具で固定するようにしてもよい。
或いは，上記切り欠き４８にイオン発生器ユニット６０が挿入された状態で，空気調和機の筐体，該筐体に設けられたリブや仕切り板，又は他の構成要素などによって上記切り欠き４８が塞がれる位置に，上記室内送風機４を配設してもよい。このような位置に配設された場合は，余計な固定部材を要しないため，部品点数の増加，コストアップを防止することができ，好適である。
このような取付構造であっても，上記溝６１を形成する当接面５１２，５２２と上記切り欠き４８の縁とが面で接することにより，上記イオン発生器ユニット６０が上記ケーシング４３に固定されるため，堅硬な取付が実現される。また，上記送風路４４への上記イオン発生ユニット６０の突出が軽減されるため従来比で送風能力が向上する。さらにまた，上記切り欠き４８が形成される位置に限定されるものの，従来例と較べれば比較的取付け位置の制限が緩和されるため，イオンを効率的且つ安定的に送風可能な位置に上記イオン発生ユニット６０を適宜取り付けることが可能となる。
なお，ここでは，上記ホルダー５１と上記カバー５２とで構成されるイオン発生器ユニット６０を例示して説明したが，少なくとも上記切り欠き４８に挿入される上記溝６１を備えておれば必要十分であり，必ずしも上記ホルダー５１及び上記カバー５２の複数部材で構成されていなくてもよい。例えば，上記溝６１を有する一体形成された取付座（取付手段の一例に相当）に上記イオン発生器５が装着されたユニットであってもかまわない。
【図面の簡単な説明】
【００１６】
【図１】本発明の実施の形態に係る空気調和機Ｘの概略構成図。
【図２】イオン発生器５の取付構造の一例を説明する分解図。
【図３】ケーシング４３にイオン発生器５が取り付けられた状態を示す取付断面図。
【図４】ケーシング４３に形成された後述する切り欠き４８を示す模式図。
【図５】イオン発生器ユニット６０を示す断面図。
【図６】切り欠き４８に上記イオン発生器ユニット６０がスライド挿入される状態を示す図。
【図７】室内機においてイオン発生器の取付構造の従来例を説明する図。
【図８】一体型の空気調和機においてイオン発生器の取付構造の従来例を説明する図。
【符号の説明】
【００１７】
Ｘ…空気調和機
１…室内用熱交換器
２…室外用熱交換器
３…ベースパン
４…室内送風機
５…イオン発生器
６…室外用ファン
７…室外用モータ
８…ネジ
９…ドウフウバン
４１…室内用モータ
４２…室内用ファン
４３…ケーシング
４４…空気の流路（送風路）
４５…吹出口
４６…外側面
４７…開口
４８…切り欠き
５１…ホルダー（装置取付手段の一例）
５２…カバー（装置取付手段の一例）
【図１】
0004627011.tif 000002
【図２】
0004627011.tif 000003
【図３】
0004627011.tif 000004
【図４】
0004627011.tif 000005
【図５】
0004627011.tif 000006
【図６】
0004627011.tif 000007
【図７】
0004627011.tif 000008
【図８】
0004627011.tif 000009